(57)【特許請求の範囲】
【請求項１】
２つの躯体それぞれに設けた仕上材間の間隙を覆うエキスパンションジョイントカバー装置であって、
前記間隙を覆うように水平方向へ延設されたジョイントカバーと、
前記ジョイントカバーの一端部を回動可能に支持するために一方の躯体側に設けられた回動支持部と、
前記ジョイントカバーの他端部を摺動可能に支持するために他方の躯体側に設けられた摺動支持部と、
を備え、
前記摺動支持部は、前記２つの躯体が接近したときに前記ジョイントカバーの先端を上方に跳ね上げるための傾斜面を備え、
前記ジョイントカバーは、前記間隙の長手方向に所定間隔で配置された複数のブラケットと、前記複数のブラケットの下面に固定されて前記複数のブラケットの下面を覆うカバー材と、前記複数のブラケットを連結する連結手段と、を備え、
前記カバー材の先端には、前記傾斜面に対向する摺動部と、前記摺動部の先端側に設けられる水平な平坦部と、前記平坦部の先端を直角に上向きに屈折して形成された屈折部と、が一体的に設けられており、
前記平坦部と前記屈折部との間の角部が丸みを帯びたＲ形状となっており、
前記複数のブラケットは、前記回動支持部によって個別に前記一方の躯体側に連結されており、
前記連結手段は、前記ブラケットに交差するように前記ブラケットの上面に固定される長尺材であり、前記ジョイントカバーの先端側において前記複数のブラケットを連結していることを特徴とする、エキスパンションジョイントカバー装置。
【請求項２】
前記回動支持部は、前記ジョイントカバーの一端部と前記一方の躯体側とを回動可能に連結する蝶番を備えることを特徴とする、請求項１記載のエキスパンションジョイントカバー装置。
【請求項３】
前記回動支持部は、前記ジョイントカバーが下方に回動することを規制する回動規制手段を備えることを特徴とする、請求項１又は２記載のエキスパンションジョイントカバー装置。
【請求項４】
前記摺動支持部は、前記間隙の長手方向に見たときに、前記ジョイントカバーよりも長く設けられていることを特徴とする、請求項１〜３のいずれか１項に記載のエキスパンションジョイントカバー装置。
【請求項５】
前記複数のブラケットのうちの一部を吊り支持する吊り支持手段を備えることを特徴とする、請求項１〜４のいずれか１項に記載のエキスパンションジョイントカバー装置。
【請求項６】
前記複数のブラケットの一部と前記一方の躯体とを繋いで前記ジョイントカバーの落下を防止する落下防止手段を備えることを特徴とする、請求項１〜５のいずれか１項に記載のエキスパンションジョイントカバー装置。
【発明の詳細な説明】
【技術分野】
【０００１】
この発明は、ジョイントカバーによって２つの躯体間の間隙を覆うエキスパンションジョイントカバー装置に関する。
【背景技術】
【０００２】
この種の装置として、例えば特許文献１には、一方の建物の天井材の先端部より上部が後方へ傾斜するように、該一方の建物躯体に取付けられた傾斜プレートと、他方の建物の壁面に天井目地部を覆い、かつ先端部が上方へ回動するように取付けられた目地天井カバーと、この目地天井カバーをほぼ水平状態に保持でき、かつ該目地天井カバーの上方への回動が可能な目地天井カバー吊り下げ杆と、目地天井カバーの先端部に取付けられた、該目地天井カバーの先端部が上方へ回動する時に、傾斜プレート上を移動するローラを備えた移動部材と、を備えた天井用目地装置が開示されている。この特許文献１記載の天井用目地装置によれば、地震により左右の建物が異なる前後方向に揺れ動いた場合、傾斜プレートと目地天井カバーとが異なる前後方向に移動するが、接触している部分はローラ部分であるので、スムーズに前後方向にスライド移動させることができるとされている。
【先行技術文献】
【特許文献】
【０００３】
【特許文献１】特開２０１１−２１４３６０号公報
【発明の概要】
【発明が解決しようとする課題】
【０００４】
しかし、上記した特許文献１記載の構造では、目地天井カバーに移動部材やローラを取り付けなければならず、部品点数が増えて製造コストが上昇するという問題があった。
【０００５】
そこで、本発明は、摺動のために追加の部品を使用しなくてもスムーズな摺動を実現できるエキスパンションジョイントカバー装置を提供することを課題とする。
【課題を解決するための手段】
【０００６】
本発明は、上記した課題を解決するためになされたものであり、以下を特徴とする。
【０００７】
請求項１記載の発明は、２つの躯体それぞれに設けた仕上材間の間隙を覆うエキスパンションジョイントカバー装置であって、前記間隙を覆うように水平方向へ延設されたジョイントカバーと、前記ジョイントカバーの一端部を回動可能に支持するために一方の躯体側に設けられた回動支持部と、前記ジョイントカバーの他端部を摺動可能に支持するために他方の躯体側に設けられた摺動支持部と、を備え、前記摺動支持部は、前記２つの躯体が接近したときに前記ジョイントカバーの先端を上方に跳ね上げるための傾斜面を備え、前記ジョイントカバーは、前記間隙の長手方向に所定間隔で配置された複数のブラケットと、前記複数のブラケットの下面に固定されて前記複数のブラケットの下面を覆うカバー材と、前記複数のブラケットを連結する連結手段と、を備え、前記カバー材の先端には、前記傾斜面に対向する摺動部と、前記摺動部の先端側に設けられる水平な平坦部と、前記平坦部の先端を直角に上向きに屈折して形成された屈折部と、が一体的に設けられており、前記平坦部と前記屈折部との間の角部が丸みを帯びたＲ形状となっており、前記複数のブラケットは、前記回動支持部によって個別に前記一方の躯体側に連結されており、前記連結手段は、前記ブラケットに交差するように前記ブラケットの上面に固定される長尺材であり、前記ジョイントカバーの先端側において前記複数のブラケットを連結していることを特徴とする。
【０００８】
請求項２に記載の発明は、上記した請求項１に記載の発明の特徴点に加え、前記回動支持部は、前記ジョイントカバーの一端部と前記一方の躯体側とを回動可能に連結する蝶番を備えることを特徴とする。
【０００９】
請求項３に記載の発明は、上記した請求項１又は２に記載の発明の特徴点に加え、前記回動支持部は、前記ジョイントカバーが下方に回動することを規制する回動規制手段を備えることを特徴とする。
【００１０】
請求項４に記載の発明は、上記した請求項１〜３のいずれかに記載の発明の特徴点に加え、前記摺動支持部は、前記間隙の長手方向に見たときに、前記ジョイントカバーよりも長く設けられていることを特徴とする。
【００１１】
【００１２】
【００１３】
請求項５に記載の発明は、上記した請求項１〜４のいずれか１項に記載の発明の特徴点に加え、前記複数のブラケットのうちの一部を吊り支持する吊り支持手段を備えることを特徴とする。
【００１４】
請求項６に記載の発明は、上記した請求項１〜５のいずれか１項に記載の発明の特徴点に加え、前記複数のブラケットの一部と前記一方の躯体とを繋いで前記ジョイントカバーの落下を防止する落下防止手段を備えることを特徴とする。
【発明の効果】
【００１５】
請求項１に記載の発明は上記の通りであり、ジョイントカバーの一端部を回動可能に支持するために一方の躯体側に設けられた回動支持部と、ジョイントカバーの他端部を摺動可能に支持するために他方の躯体側に設けられた摺動支持部と、を備え、摺動支持部は、２つの躯体が接近したときに前記ジョイントカバーの先端を上方に跳ね上げるための傾斜面を備える。このような構成によれば、２つの躯体が互いに変位した場合でも、ジョイントカバーが回動しつつ、摺動支持部の上を摺動したり、傾斜面に乗り上げたりすることで、ジョイントカバーが躯体等に接触することを回避でき、部品の破損を防止することができる。
【００１６】
また、ジョイントカバーは、前記間隙の長手方向に所定間隔で配置された複数のブラケットと、複数のブラケットの下面に固定されたカバー材と、を備え、カバー材の先端には、他方の躯体側の傾斜面に対向する摺動部が一体的に設けられている。このような構成によれば、２つの躯体が互いに接近する方向に変位したときに、カバー材（傾斜面に対向する摺動部及びブラケットの下面を覆うカバー部）が、摺動支持部の上を摺動したり、傾斜面に乗り上げたりする。このときの摺動案内が一体的に形成されたカバー材で実現されているので、引っ掛かりがなく、スムーズな摺動を実現できる。しかもこのようなスムーズな摺動を、ローラ等の部品を追加せずに実現することができる。
【００１７】
また、請求項２に記載の発明は上記の通りであり、回動支持部は、ジョイントカバーの一端部と一方の躯体側とを回動可能に連結する蝶番を備える。このような構成によれば、ジョイントカバーが蝶番によって回動可能となるので、２つの躯体が互いに変位したときにジョイントカバーをスムーズに回動させることができる。
【００１８】
また、請求項３に記載の発明は上記の通りであり、回動支持部は、ジョイントカバーが下方に回動することを規制する回動規制手段を備える。このような構成によれば、ジョイントカバーの先端が他方の躯体から離れた場合でも、ジョイントカバーの水平を維持することができる。
【００１９】
また、請求項４に記載の発明は上記の通りであり、摺動支持部は、間隙の長手方向に見たときに、ジョイントカバーよりも長く設けられている。このような構成によれば、間隙の長手方向に躯体が変位したときに摺動支持部の上面をジョイントカバーの先端が摺動するので、ジョイントカバーが摺動支持部から外れるおそれがない。
【００２０】
また、請求項１に記載の発明は上記の通りであり、摺動部の先端側に、上向きに形成された屈折部を備える。このような構成によれば、ジョイントカバーの先端が摺動支持部の方向を向いておらず、屈折部の角部が摺動支持部に接触するので、ジョイントカバーの先端が摺動支持部に引っ掛かることがない。よって、ジョイントカバーがスムーズに摺動支持部の上を摺動する。
【００２１】
また、請求項１に記載の発明は上記の通りであり、複数のブラケットを連結する連結手段を備える。このような構成によれば、複数のブラケットをユニット化することができ、カバー材の取付けが容易であり、作業性が良い。また、複数のブラケットをユニット化することで、それぞれのブラケットの相対位置にブレが生じにくい。これにより、ジョイントカバーが回動するときの動きが均一となるので、ジョイントカバーが回動するときにジョイントカバーが傾いて偏荷重がかかるなどの問題が生じず、スムーズにジョイントカバーを動かすことができる。
【００２２】
また、請求項５に記載の発明は上記の通りであり、複数のブラケットのうちの一部を吊り支持する吊り支持手段を備える。このような構成によれば、吊り支持手段によってジョイントカバーが間隙の下方方向に回動することが規制され、ジョイントカバーの水平を保つことができる。なお、複数のブラケットをユニット化しているため、ユニットを構成する一部のブラケットに吊り支持手段を設ければよく、すべてのブラケットに吊り支持手段を設ける必要がないので、施工作業が容易であり、部品数も抑えられる。
【００２３】
また、請求項６に記載の発明は上記の通りであり、複数のブラケットの一部と一方の躯体とを繋いでジョイントカバーの落下を防止する落下防止手段を備える。このような構成によれば、落下防止手段によって安全性を高めることができる。なお、複数のブラケットをユニット化しているため、ユニットを構成する一部のブラケットに落下防止手段を設ければよく、すべてのブラケットに落下防止手段を設ける必要がないので、施工作業が容易であり、部品数も抑えられる。
【図面の簡単な説明】
【００２４】
【図１】エキスパンションジョイントカバー装置の側面図である。
【図２】図１のＡ部拡大図である。
【図３】２つの躯体が互いに離れる方向に移動したときの、図１のＡ部拡大図である。
【図４】図１のＢ部拡大図である。
【図５】エキスパンションジョイントカバー装置の平面図である。
【図６】図５のＣ部拡大図である。
【図７】（ａ）図６のＤ−Ｄ線断面図、（ｂ）図６のＥ−Ｅ線断面図である。
【図８】２つの躯体が互いに接近する方向に移動したときの、エキスパンションジョイントカバー装置の側面図である。
【図９】２つの躯体が間隙の長手方向に変位したときの、エキスパンションジョイントカバー装置の平面図である。
【図１０】変形例に係るエキスパンションジョイントカバー装置の側面図である。
【発明を実施するための形態】
【００２５】
本発明の実施形態について、図を参照しながら説明する。
【００２６】
本実施形態に係るエキスパンションジョイントカバー装置１０は、図１に示すような２つの躯体（一方の躯体４１及び他方の躯体４２）間に設けられる。一方の躯体４１及び他方の躯体４２は、同じ高さで形成された天井を備えており、これらの天井はそれぞれ天井材４１ａ，４２ａ（仕上材）で覆われている。また、一方の躯体４１に固定された天井材４１ａの端部と、他方の躯体４２に固定された天井材４２ａの端部とは、間隙５０を設けて互いに対向している。本実施形態に係るエキスパンションジョイントカバー装置１０は、これらの天井材４１ａ，４２ａの間の間隙５０を覆うように設置され、下方から見たときに天井材４１ａ，４２ａとともに天井面を形成する。
【００２７】
本実施形態に係るエキスパンションジョイントカバー装置１０は、図１に示すように、間隙５０を覆うように水平方向へ延設されたジョイントカバー１１と、ジョイントカバー１１の一端部を回動可能に支持するために一方の躯体４１側に設けられた回動支持部２０と、ジョイントカバー１１の他端部を摺動可能に支持するために他方の躯体４２側に設けられた摺動支持部３０と、ジョイントカバー１１を吊り支持する吊り支持手段３４と、ジョイントカバー１１の落下を防止する落下防止手段３７と、を備える。
【００２８】
ジョイントカバー１１は、図１及び図５に示すような板状部材であり、２つの躯体間に架設される。このジョイントカバー１１は、間隙５０の長手方向に所定間隔で配置された複数のブラケット１２と、複数のブラケット１２を連結する連結手段１３と、複数のブラケット１２の下面に固定されたカバー材１４と、ブラケット１２の後端部に取り付けられたブラケット固定金具１６と、を備える。
【００２９】
ブラケット１２は、間隙５０の幅方向（図１における左右方向）が長手方向となるように配置される金属製の長尺材である。本実施形態においては、図７（ｂ）に示すように、上向きに開口したコ字形の断面を有する部材であり、下面を形成する底壁１２ａと、底壁１２ａの両端部から上方に立ち上げ形成された側壁１２ｂと、を備える。なお、このブラケット１２の先端側には、図６及び図７（ａ）に示すように、後述する連結手段１３を取り付けるための突出部１２ｃが設けられている。この突出部１２ｃは、対の側壁１２ｂの上端部から外側に直角に延出形成されている。
【００３０】
このブラケット１２は、図５に示すように、カバー材１４の裏面（上面）に取り付けられ、カバー材１４を補強している。このブラケット１２は、間隙５０の長手方向に間隔を設けて複数配置される。
【００３１】
連結手段１３は、ブラケット１２に交差するように固定される金属製の長尺材である。本実施形態においては、図２等に示すように、上向きに開口したコ字形の断面を有する部材である。この連結手段１３は、ブラケット１２の突出部１２ｃの上面にボルトなどの固定具によって固定される。この連結手段１３は、複数のブラケット１２を跨ぐように取り付けられて複数のブラケット１２を連結する。連結手段１３で複数のブラケット１２を連結することで、複数のブラケット１２がユニット化され、ブレのない枠組形状となる。また、図５に示すように、ジョイントカバー１１の先端側において複数のブラケット１２を連結しているため、片持ち形状のジョイントカバー１１の先端側を補強し、ジョイントカバー１１の強度を向上させている。
【００３２】
カバー材１４は、ジョイントカバー１１の表面（下面）を覆う金属製の板材である。このカバー材１４は、図７（ｂ）に示すように、ブラケット１２の下面にカバー固定ネジ１８で固定されて支持される。このカバー材１４は、図２〜４に示すように、ブラケット１２の下面を覆って天井の一部を形成する水平なカバー部１４ａと、カバー部１４ａの先端側に設けられて斜め上方に傾斜した摺動部１４ｂと、摺動部１４ｂの先端側に設けられる水平な平坦部１４ｃと、平坦部１４ｃの先端を上向きに屈折して形成された屈折部１４ｄと、カバー部１４ａの後端側に設けられた後端屈折部１４ｅと、を備える。これらの各部位は、連続する１枚の板を屈折させて形成されており、互いに一体的に設けられている。
【００３３】
このうち、摺動部１４ｂは、図２に示すように、後述する摺動支持部３０の傾斜面３２ｂに対向するように、傾斜面３２ｂとほぼ同じ角度に傾斜して形成されている。
【００３４】
また、平坦部１４ｃは、図２に示すように、躯体の静止時において後述する摺動支持部３０の上端に形成された水平面３２ｃに載置されるようになっている。この平坦部１４ｃが水平面３２ｃに載置されることで、ジョイントカバー１１の先端部が他方の躯体４２側で保持され、ジョイントカバー１１が水平に支持されるようになっている。
【００３５】
また、屈折部１４ｄは、カバー材１４の先端が摺動支持部３０に突き当らないようにするためのものである。この屈折部１４ｄが設けられることで、平坦部１４ｃと屈折部１４ｄとの間に角部１４ｆが形成されている。この角部１４ｆは、図２等に示すように、丸みを帯びたＲ形状となっている。躯体が移動したときにこの角部１４ｆが摺動支持部３０に突き当たる可能性があるが（例えば、２つの躯体が互いに離れる方向へ移動した際にジョイントカバー１１の先端が万が一、下方へ垂れてしまい、垂れたまま２つの躯体が互いに接近する方向へ移動したときにこの角部１４ｆが摺動支持部３０に突き当たる可能性がある）、角部１４ｆが滑らかな形状であるため摺動支持部３０に引っ掛からず、ジョイントカバー１１が摺動支持部３０の上をスムーズに摺動できるようになっている。
【００３６】
また、後端屈折部１４ｅは、図４に示すように、カバー部１４ａの後端を上向きに屈折して形成されている。この後端屈折部１４ｅには、弾性変形可能な樹脂製の塞ぎ材１５が取り付けられている。この塞ぎ材１５は、ジョイントカバー１１と天井材４１ａとの間の隙間を塞ぐとともに、ジョイントカバー１１が回動するときには追従して変形する。なお、塞ぎ材１５に対向する天井材４１ａの端部には、後端見切材２６が取り付けられている。
【００３７】
なお、上記したカバー材１４は、ジョイントカバー１１の大きさに合わせて、間隙５０の長手方向に複数連設して使用してもよい。また、ジョイントカバー１１の表面を仕上材等で覆ってもよい。例えばシート状の仕上材をカバー材１４の表面に貼り付けてもよい。
【００３８】
ブラケット固定金具１６は、図４に示すように、ブラケット１２の後端部に取り付けられる金具である。本実施形態に係るブラケット固定金具１６は、ブラケット１２の内側にボルトなどの固定具１７によって取り付けられる短尺部材である。このブラケット固定金具１６は、規制受部１６ａと、蝶番取付部１６ｂと、を備える。規制受部１６ａは、後述する回動規制手段２３に当接することでブラケット１２が下方に回動しないように規制するためのものである。蝶番取付部１６ｂは、後述する蝶番２２を取り付けることでブラケット１２を回動可能とするためのものである。
【００３９】
回動支持部２０は、図４に示すように、一方の躯体４１側に固定された蝶番固定下地材２１と、蝶番固定下地材２１に固定された蝶番２２と、蝶番固定下地材２１に固定された回動規制手段２３と、を備える。
【００４０】
蝶番固定下地材２１は、間隙５０の長手方向に延びる長尺材である。本実施形態に係る蝶番固定下地材２１は、図４に示すように、断面Ｌ字形の部材であり、複数の補強部２１ａを備える。この複数の補強部２１ａは、間隙５０の長手方向に間隔を設けて配置されており、溶接によって蝶番固定下地材２１に予め固定されている。
【００４１】
蝶番２２は、ジョイントカバー１１の一端部と、一方の躯体４１側と、を回動可能に連結している。この蝶番２２は、蝶番固定下地材２１に固定される固定片２２ａと、ブラケット固定金具１６を介してブラケット１２に固定される可動片２２ｂと、を備える。固定片２２ａと可動片２２ｂとは互いに回動自在に連結されているため、ブラケット１２は一方の躯体４１に対して回動可能となる。なお、この蝶番２２は、すべてのブラケット１２に取り付けられる。
【００４２】
回動規制手段２３は、ジョイントカバー１１が下方に回動することを規制するためのものである。この回動規制手段２３は、図４に示すような屈折した金属板であり、蝶番２２の固定片２２ａの下面に当接した状態で蝶番固定下地材２１に固定される固定部２３ａと、ブラケット固定金具１６の規制受部１６ａの下面に対向する係合部２３ｂと、を備える。係合部２３ｂは、躯体静止時においてブラケット固定金具１６の規制受部１６ａの下面に当接しており、ブラケット固定金具１６（すなわちブラケット１２）が下方に移動できないように規制している。このように係合部２３ｂと規制受部１６ａとが当接した状態では、ブラケット１２は水平となっている。なお、エキスパンションジョイントカバー装置１０の下方に垂直な壁側のエキスパンションジョイントカバー装置を配置しても良い。その際、回動規制手段２３によってジョイントカバー１１が下方に移動できないように規制されているため、ジョイントカバー１１によって壁側のエキスパンションジョイントカバー装置の動きが妨げられない。
【００４３】
摺動支持部３０は、図２及び図３、図５に示すように、他方の躯体４２側に固定された見切材固定下地３１と、見切材固定下地３１に取り付けられた先端見切材３２と、を備える。
【００４４】
見切材固定下地３１は、先端見切材３２を取り付けるための台座となるものであり、先端見切材３２の形状に合わせて形成される長尺材である。なお、本実施形態に係る見切材固定下地３１は、図２に示すように、内側に複数の補強部３１ａを備える。この複数の補強部３１ａは、間隙５０の長手方向に間隔を設けて配置されており、溶接によって見切材固定下地３１に予め固定されている。
【００４５】
先端見切材３２は、ジョイントカバー１１の先端を円滑に摺動案内するための長尺部材であり、他方の躯体４２側の天井材４２ａの端部を覆い、さらに天井材４２ａより突出して天井材４２ａを呑み込むように長手方向に設けられる。この先端見切材３２は、金属製の板を屈折させて形成されており、ジョイントカバー１１の先端に臨むように垂直に形成された垂直面３２ａと、垂直面３２ａの上端から傾斜して形成された傾斜面３２ｂと、傾斜面３２ｂの上端から水平方向に形成された水平面３２ｃと、を備える。
【００４６】
このうち傾斜面３２ｂは、２つの躯体が接近したときにジョイントカバー１１の先端を上方に跳ね上げるために傾斜しており、上述したように、カバー材１４の摺動部１４ｂと対向配置されている。
【００４７】
また、水平面３２ｃは、カバー材１４の平坦部１４ｃを載置するために設けられている。水平面３２ｃにカバー材１４の平坦部１４ｃを載置することで、カバー材１４を安定的に支持することが可能となっている。
【００４８】
なお、先端見切材３２の表面に、ジョイントカバー１１の摺動をスムーズにするための表面材を設けてもよい。例えば、先端見切材３２の表面に樹脂材のシートを貼り付けて、ジョイントカバー１１が滑りやすくしてもよい。
【００４９】
吊り支持手段３４は、斜め方向に配置されてジョイントカバー１１を吊り支持するためのものであり、図１に示すように、一端が一方の躯体４１に固定され、他端がジョイントカバー１１の先端付近に固定されている。この吊り支持手段３４をジョイントカバー１１に取り付ける場合には、図６に示すように、ジョイントカバー１１の側部に吊り材固定金具３６を取り付け、この吊り材固定金具３６に吊り材３５を固定する。吊り材３５の反端側の端部は一方の躯体４１側に固定される。
【００５０】
なお、この吊り支持手段３４は、図５に示すように、連結手段１３によって連結されてユニット化された複数のブラケット１２のうちの一部に取り付けられる。言い換えると、ユニット化された複数のブラケット１２の一部には吊り支持手段３４が取り付けられない。このようにユニット化してあるため、一部のブラケット１２にだけ吊り支持手段３４を取り付ければ良いので、部品点数を減少させ、作業性を向上させている。
【００５１】
落下防止手段３７は、ジョイントカバー１１の落下を防止するためのものであり、図１に示すように、ワイヤ３８と、ワイヤ固定金具３９と、を備える。この落下防止手段３７をジョイントカバー１１に取り付ける場合には、図７（ｂ）に示すように、ジョイントカバー１１の側部にワイヤ固定金具３９を取り付け、このワイヤ固定金具３９にワイヤ３８を固定する。ワイヤ３８の反端側の端部は一方の躯体４１側に固定される。
【００５２】
なお、この落下防止手段３７は、図５に示すように、連結手段１３によって連結されてユニット化された複数のブラケット１２のうちの一部に取り付けられる。言い換えると、ユニット化された複数のブラケット１２の一部には落下防止手段３７が取り付けられない。このようにユニット化してあるため、一部のブラケット１２にだけ落下防止手段３７を取り付ければ良いので、部品点数を減少させ、作業性を向上させている。
【００５３】
なお、吊り支持手段３４の吊り材３５に、落下防止手段３７のワイヤ３８と同じものを使用してもよいし、落下防止手段３７のワイヤ３８に、吊り支持手段３４の吊り材３５と同じものを使用してもよい。また、吊り支持手段３４の吊り材固定金具３６と、落下防止手段３７のワイヤ固定金具３９とを、同じ金具としてもよい。また、吊り支持手段３４を一方の躯体４１側に固定する金具と、落下防止手段３７を一方の躯体４１側に固定する金具とを、同じ金具としてもよい。このように共通部品を使用すれば、部品の種類を減らして製造コストを抑制することができる。また、本実施形態に係る吊り材固定金具３６及びワイヤ固定金具３９は、図２及び図３、図４に示すように、複数の孔があり、その複数の孔へ吊り材３５またはワイヤ３８を縫うように挿通することで吊り材３５またはワイヤ３８が蛇行して滑らないようにすることができる。よって、吊り材３５やワイヤ３８の端末の結び止めを行わなくても、吊り材３５やワイヤ３８を確実に固定することができる。
【００５４】
上記したエキスパンションジョイントカバー装置１０において、２つの躯体が接近する方向に変位すると、図８に示すように、ジョイントカバー１１の先端が摺動支持部３０の傾斜面３２ｂによって上方に跳ね上げられ、ジョイントカバー１１に衝撃が加わらないようになっている。このとき、カバー材１４の表面に沿ってジョイントカバー１１が摺動するため、滑らかにジョイントカバー１１を摺動させることができる。また、エキスパンションジョイントカバー装置１０において、２つの躯体が間隙５０の長手方向に変位すると、図９に示すように、ジョイントカバー１１の先端が摺動支持部３０の傾斜面３２ｂを摺動するようになっている。このとき、摺動支持部３０がジョイントカバー１１よりも長く設けられているため、ジョイントカバー１１の先端が摺動支持部３０から外れずに摺動させることができる。
【００５５】
以上説明したように、本実施形態によれば、ジョイントカバー１１の一端部を回動可能に支持するために一方の躯体４１側に設けられた回動支持部２０と、ジョイントカバー１１の他端部を摺動可能に支持するために他方の躯体４２側に設けられた摺動支持部３０と、を備え、摺動支持部３０は、２つの躯体が接近したときにジョイントカバー１１の先端を上方に跳ね上げるための傾斜面３２ｂを備える。このような構成によれば、２つの躯体が互いに変位した場合でも、ジョイントカバー１１が回動しつつ、摺動支持部３０の上を摺動したり、傾斜面３２ｂに乗り上げたりすることで、ジョイントカバー１１が躯体等に接触することを回避でき、部品の破損を防止することができる。
【００５６】
また、ジョイントカバー１１は、間隙５０の長手方向に所定間隔で配置された複数のブラケット１２と、複数のブラケット１２の下面に固定されたカバー材１４と、を備え、カバー材１４の先端には、他方の躯体４２側の傾斜面３２ｂに対向する摺動部１４ｂが一体的に設けられている。このような構成によれば、２つの躯体が互いに接近する方向に変位したときに、カバー材１４（傾斜面３２ｂに対向する摺動部１４ｂ及びブラケット１２の下面を覆うカバー部１４ａ）が、摺動支持部３０の上を摺動したり、傾斜面３２ｂに乗り上げたりする。このときの摺動案内が一体的に形成されたカバー材１４で実現されているので、引っ掛かりがなく、スムーズな摺動を実現できる。しかもこのようなスムーズな摺動を、ローラ等の部品を追加せずに実現することができる。
【００５７】
また、回動支持部２０は、ジョイントカバー１１の一端部と一方の躯体４１側とを回動可能に連結する蝶番２２を備える。このような構成によれば、ジョイントカバー１１が蝶番２２によって回動可能となるので、２つの躯体が互いに変位したときにジョイントカバー１１をスムーズに回動することができる。
【００５８】
また、回動支持部２０は、ジョイントカバー１１が下方に回動することを規制する回動規制手段２３を備える。このような構成によれば、ジョイントカバー１１の先端が他方の躯体４２から離れた場合でも、ジョイントカバー１１の水平を維持することができる。また、エキスパンションジョイントカバー装置１０の下方に垂直な壁側のエキスパンションジョイントカバー装置を配置した場合でも、回動規制手段２３によってジョイントカバー１１が下方に移動できないように規制されているため、ジョイントカバー１１によって壁側のエキスパンションジョイントカバー装置の動きが妨げられない。
【００５９】
また、摺動支持部３０は、間隙５０の長手方向に見たときに、ジョイントカバー１１よりも長く設けられている。このような構成によれば、２つの躯体が間隙５０の長手方向に相対的に変位しても、摺動支持部３０の上面をジョイントカバー１１の先端が摺動することができるので、ジョイントカバー１１が摺動支持部３０から外れるおそれがない。
【００６０】
また、摺動部１４ｂの先端側に、上向きに形成された屈折部１４ｄを備える。このような構成によれば、ジョイントカバー１１の先端が摺動支持部３０の方向を向いておらず、屈折部１４ｄの角部１４ｆが摺動支持部３０に接触するので、ジョイントカバー１１の先端が摺動支持部３０に引っ掛かることがない。よって、ジョイントカバー１１がスムーズに摺動支持部３０の上を摺動する。
【００６１】
また、複数のブラケット１２を連結する連結手段１３を備える。このような構成によれば、複数のブラケット１２をユニット化することができ、カバー材１４の取付けが容易であり、作業性が良い。また、複数のブラケット１２をユニット化することで、それぞれのブラケット１２の相対位置にブレが生じにくい。これにより、ジョイントカバー１１が回動するときの動きが均一となるので、ジョイントカバー１１が回動するときにジョイントカバー１１が傾いて偏荷重がかかるなどの問題が生じず、スムーズにジョイントカバー１１を動かすことができる。
【００６２】
また、複数のブラケット１２の一部を吊り支持する吊り支持手段３４を備える。このような構成によれば、吊り支持手段３４によってジョイントカバー１１が間隙５０の下方方向に回動することが規制され、ジョイントカバー１１の水平を保つことができる。なお、複数のブラケット１２をユニット化しているため、ユニットを構成する一部のブラケット１２に吊り支持手段３４を設ければよく、すべてのブラケット１２に吊り支持手段３４を設ける必要がないので、施工作業が容易であり、部品数も抑えられる。
【００６３】
また、複数のブラケット１２の一部と一方の躯体４１とを繋いでジョイントカバー１１の落下を防止する落下防止手段３７を備える。このような構成によれば、落下防止手段３７によって安全性を高めることができる。なお、複数のブラケット１２をユニット化しているため、ユニットを構成する一部のブラケット１２に落下防止手段３７を設ければよく、すべてのブラケット１２に落下防止手段３７を設ける必要がないので、作業が容易であり、部品数も抑えられる。
【００６４】
なお、上記した実施形態に係るエキスパンションジョイントカバー装置１０は、天井材４１ａ，４２ａの間の間隙５０を覆うように設置されているが、これに限らず、図１０に示すように、一方の躯体４１の壁面（仕上材）と天井材４２ａの間の間隙５０を覆うようにエキスパンションジョイントカバー装置１０を設置してもよい。
【符号の説明】
【００６５】
１０  エキスパンションジョイントカバー装置
１１  ジョイントカバー
１２  ブラケット
１２ａ  底壁
１２ｂ  側壁
１２ｃ  突出部
１３  連結手段
１４  カバー材
１４ａ  カバー部
１４ｂ  摺動部
１４ｃ  平坦部
１４ｄ  屈折部
１４ｅ  後端屈折部
１４ｆ  角部
１５  塞ぎ材
１６  ブラケット固定金具
１６ａ  規制受部
１６ｂ  蝶番取付部
１７  固定具
１８  カバー固定ネジ
２０  回動支持部
２１  蝶番固定下地材
２１ａ  補強部
２２  蝶番
２２ａ  固定片
２２ｂ  可動片
２３  回動規制手段
２３ａ  固定部
２３ｂ  係合部
２６  後端見切材
３０  摺動支持部
３１  見切材固定下地
３１ａ  補強部
３２  先端見切材
３２ａ  垂直面
３２ｂ  傾斜面
３２ｃ  水平面
３４  吊り支持手段
３５  吊り材
３６  吊り材固定金具
３７  落下防止手段
３８  ワイヤ
３９  ワイヤ固定金具
４１  一方の躯体
４１ａ  天井材（仕上材）
４２  他方の躯体
４２ａ  天井材（仕上材）
５０  間隙
【図１】
0006765830.tif 000002
【図２】
0006765830.tif 000003
【図３】
0006765830.tif 000004
【図４】
0006765830.tif 000005
【図５】
0006765830.tif 000006
【図６】
0006765830.tif 000007
【図７】
0006765830.tif 000008
【図８】
0006765830.tif 000009
【図９】
0006765830.tif 000010
【図１０】
0006765830.tif 000011